(57)【要約】【課題】  インソールを頻繁に交換する必要なく、インソール自体の吸水性及び吸臭性の能力を持続させ、足裏に疲れなどの負担をかけることなく、足指を圧迫することなく、足指が歩行に伴って靴内を移動することなく安定でき、に足裏を清潔にかつ健康に維持することができる靴内に敷くインソールを提供する。【解決手段】  本考案のインソール１は、合成ゴムやプラスチックフォームなどの薄板状弾性体２から形成され、薄板状弾性体２からなるインソール１の表裏の全面には、多数の小孔３が表裏に貫通し分散配置されており、この吸水・吸臭シートセット用のインソール１の下面には、靴内の中底の形状をした多孔質のシート５を敷き、その上に図１の矢印で示すようにインソール１を載置して使用する。【選択図】      図１
0003112260.tif 000002
【実用新案登録請求の範囲】
【請求項１】
合成ゴムやプラスチックフォームなどから形成の薄板状弾性体２の表裏を貫通する多数の小孔３を該薄板状弾性体２の全面に分散して有し、薄板状弾性体２の下部にインソール形状の多孔質性のシート５を交換可能に敷きつめていることを特徴とする吸水・吸臭シートセットのインソール１。
【請求項２】
薄板状弾性体２は土踏まず部７及びかかと部８の周縁部が船底状に盛り上がって足裏周囲を拘束状態に保持する立ち上がり部４に形成されていることを特徴とする請求項１に記載の吸水・吸臭シートセットのインソール１。
【考案の詳細な説明】
【技術分野】
【０００１】
この考案は、靴の中に敷くインソールに関し、特に汗を吸水し、かつ、不愉快な足の臭いを吸臭する紙製あるいは不織布製のシートと組み合わせて使用するためのインソールに関する。
【背景技術】
【０００２】
従来の靴の中に敷くインソールは、足裏にやさしく当接して、長時間靴を履いても足を疲れなくし、また、靴内を清潔に保つ働きを有する。このためには、革製のインソールや、ヘチマの芯などから形成の植物繊維インソールやスポンジ製のインソールなど種々のインソールが市販されている。
【０００３】
さらに、これらのインソールには、例えばインソールの素材中に吸水及び吸臭性の高い素材、例えば活性炭素を含有させたスポンジ製のインソールが市販されている。しかし、このようなインソールでも、インソール本体の吸水作用及び吸臭作用には限界があり、短期間で吸水作用及び吸臭作用が消失するので、高価なインソールを短期間で交換する必要があった。
【０００４】
特に夏になると汗をかくために一層に靴内が蒸れ、時には水虫になるなど、衛生上の問題から、しばしばインソールを新品と交換する必要があった。さらに靴を履いていると、特に女性の靴の場合、スタイルに重点を置くために足指に負担をかけることがあり、長時間靴を履いていると足指が痛み、あるいは靴内で足裏や足指が移動するためにたこやまめなどになるなどの問題があった。
【０００５】
一方、上記の吸臭性の効果を待たせた活性炭素入りのインソールの他に、たとえばエッセンシャルオイルをマイクロカプセル化して靴の中敷きに入れるものが公開されている（例えば、特許文献１参照。）。しかし、このものは、特別にエッセンシャルオイルをマイクロカプセル化して入れるので高価であり、また、使用しきってしまうと高価なものも無用となってしまう問題があった。
【０００６】
【特許文献１】特開平１１−２４６３８３号公報
【考案の開示】
【考案が解決しようとする課題】
【０００７】
この考案が解決しようとする課題は、インソール自体をしばしば取り替える必要を無くし、それにもかかわらずインソール自体の吸水性及び吸臭性の能力を失わせることなく持続させ、足裏に疲れなどの負担をかけることなく、また足指を圧迫することなく、また足指が歩行に伴って靴内を移動することなく安定でき、さらに足裏を清潔にかつ健康に維持することができるインソールを提供することである。
【課題を解決するための手段】
【０００８】
上記の課題を解決するための本考案の手段は、請求項１の考案では、合成ゴムやプラスチックフォームなどから薄板状弾性体２を形成し、この薄板状弾性体２の全面にその表裏を貫通する多数の小孔３を分散して開口し、薄板状弾性体２の下部にインソール形状の多孔質性のシート５を交換可能に敷きつめていることを特徴とする吸水・吸臭シートセットのインソール１である。
【０００９】
この吸水・吸臭シートセットのインソール１は、このインソール１の下に多孔質の吸水性及び吸臭性のシート５、例えば紙シート５ａもしくは不織布シート５ｂ、を敷いて使用し、この吸水性及び吸臭性のシート５を取り替えることで、インソール１自体を取り替えなくとも足裏に発汗した汗を吸水し、さらに汗で蒸れて生じる異臭を吸臭し、常にインソール１を吸水性能及び吸臭性能を有する状態に維持することができる。
【００１０】
請求項２の考案では、上記の薄板状弾性体２は土踏まず部７及びかかと部８の周縁部が船底状に盛り上がって足裏周囲を拘束状態に保持する立ち上がり部４に形成されていることを特徴とする請求項１の手段の吸水・吸臭シートセット用のインソール１である。
【００１１】
さらにこのインソール１はその土踏まず部７とかかと部８の周縁部が船底状に周囲が盛り上がって足裏の周囲を拘束下状態で保持する立ち上がり部４に形成されているので、履いた足指の位置が歩行のたびに足指部６で左右に移動することがなく常に固定される。したがって、足指に圧迫による負担をかけることが無く、たこやまめなどになりにくい状態に保持することができる。
【考案の効果】
【００１２】
本考案のインソールは、インソール全面に多数の小孔が分配されて開口されているので、その下部に吸水性で吸臭性の多孔質からなる紙や不織布などのシートを敷き、適宜に交換することで靴内で履いた足裏に発汗しても、インソールの多孔を通って吸水性のシートに吸水されるので、足裏が蒸れることなく、また同様に悪臭も吸臭されるので、靴内に異臭が生じることなく、常に清潔に保つことができ、さらにインソールの後半部の側部が船底状に盛り上がった立ち上がり部になっているので、足裏が靴内で歩行時に左右に移動することがなく、足指に負担をかけることがないのでたこやまめができにくいなど、従来にない優れた作用効果を奏するものである。
【考案を実施するための最良の形態】
【００１３】
本考案を実施するための最良の形態について、図面を参照しながら説明する。図１は本考案の吸水・吸臭シートセット用のインソール１とその下部に敷く紙シート５ａを示す。なお、この紙シート５ａに代えて不織布シート５ｂとすることもできる。
【００１４】
図１に示すように、本考案のインソール１は、靴内の中底の上に配置するもので、その素材は、合成ゴムやプラスチックフォームなどから形成の薄板状弾性体２から形成されている。ところで、本考案でいう薄板状弾性体２の弾性とは、足裏を載置すると、重みでややくぼむが足裏をはずすと元に戻る程度をいい、この様な素材としては、合成ゴムやプラスチックフォームなどの他に、例えば皮革のインソール１でも良い。このような薄板状弾性体２からなるインソール１の表裏の全面には、多数の小孔３が分散配置されて表裏に貫通して形成されている。この吸水・吸臭シートセット用のインソール１の下面には、靴内の中底の形状をした多孔質の紙シート５ａが敷かれ、その上に図１の矢印で示すようにインソール１が載置される。
【００１５】
以上のように、この考案の吸水・吸臭シートセット用のインソール１は裏面の下に多孔質の紙シート５ａあるいは不織布シート５ｂを敷くことで、足裏から出た汗がインソール１の薄板状弾性体２の小孔３からインソール１の下に敷いた吸水性及び吸臭性の紙シート５ａあるいは不織布シート５ｂに吸水されるので、インソール１の表面は湿潤状態ではなく、からっと乾いた状態に保持されており、このために水虫などになりにくく、さらに汗による臭が発生しにくく、仮に臭が発生しても下に敷いた紙シート５ａあるいは不織布シート５ｂに吸臭されるので、悪臭を足裏に生じることがない。
【００１６】
この紙シート５ａあるいは不織布シート５ｂが汗を吸い能力が落ちると、この紙シート５ａあるいは不織布シート５ｂのみを新しい紙シート５ａあるいは不織布シート５ｂと取り替えることで、再び発汗しても吸水及び吸臭が行われ、インソール１自体を再々取り替える必要をなくした。
【００１７】
さらに、このインソール１の薄板状弾性体２は、土踏まず部７及びかかと部８の周縁部が船底状に盛り上がって足裏周囲を拘束状態に保持する立ち上がり部４に形成されている。そこで、この立ち上がり部４を有するインソール１を装着すると、この靴を履いたときに足裏がぴったりと靴内に固定され、足指部６が歩行に連れて左右に移動しにくいので、足裏や足指にたこができたり、まめができることが防止される。
【図面の簡単な説明】
【００１８】
【図１】本考案の吸水・吸臭シートセット用のインソール及びその下部に敷く紙シートを示す斜視図である。
【符号の説明】
【００１９】
１  インソール
２  弾性体
３  小孔
４  立ち上がり部
５  シート
５ａ  紙シート
５ｂ  不織布シート
６  足指部
７  土踏まず部
８  かかと部
【図１】
0003112260.tif 000003